(57)【特許請求の範囲】
【請求項１】
バケット部と、該バケット部に連結された一対のハンドル部とからなる、バケツ機能付きスコップであって、
前記バケット部は、先端側が開口し、後端側が閉塞した筒状の容器体であり、天板と該天板に対向した底板と、左右一対の側板と、開口側と対向する後端板とからなり、
前記ハンドル部は、前記バケット部の先端側に設けた先端側ハンドル部と、該バケット部の後端側に設けた後端側ハンドル部とからなり、
前記先端側ハンドル部は、前記左右一対の側板に取り付けられた支持部材と、該支持部材間に架設固着された把手部とからなり、
前記後端側ハンドル部は、前記左右一対の側板の後端側を上部に延在して形成された一対の支持部と、該支持部間に架設固着されている把手部とからなるバケツ機能付きスコップ。
【請求項２】
前記先端側ハンドル部は、前記支持部材の下部に設けた支持軸を中心に回動可能に形成されている請求項１に記載のバケツ機能付きスコップ。
【請求項３】
バケット部と、該バケット部に連結された一対のハンドル部とからなる、バケツ機能付きスコップであって、
前記バケット部は、先端側が開口し、後端側が閉塞した筒状の容器体であり、天板と該天板に対向した底板と、左右一対の側板と、開口側と対向する後端板とからなり、
前記ハンドル部は、前記バケット部の先端側に設けた先端側ハンドル部と、該バケット部の後端側に設けた後端側ハンドル部とからなり、
前記先端側ハンドル部は、前記左右一対の側板の先端側を上部に延在させて形成された一対の支持部と、該支持部間に架設固着されている把手部とからなり、
前記後端側ハンドル部は、前記左右一対の側板の後端側を上部に延在させて形成された一対の支持部と、該支持部間に架設固着されている把手部とからなるバケツ機能付きスコップ。
【請求項４】
前記底板は前記天板より先端側に突出して形成されている請求項１乃至３のうちのいずれか1項に記載のバケツ機能付きスコップ。
【請求項５】
前記後端板は、内側に凹状、外側に凸状となるように湾曲して形成されている請求項１乃至４のうちのいずれか１項に記載のバケツ機能付きスコップ。
【請求項６】
前記底板の先端に延出形成された突出部を更に備えた請求項１乃至５のうちのいずれか１項に記載のバケツ機能付きスコップ。
【請求項７】
前記バケット部の後端側を下にした場合に、前記支持部及び／又は前記後端板が接地することにより、前記バケット部を起立可能とした請求項１乃至６のうちのいずれか１項に記載のバケツ機能付きスコップ。
【発明の詳細な説明】
【技術分野】
【０００１】
本発明はバケツ機能付きスコップに関する。更に詳しくは、バケツとスコップの両方の機能を兼ね備えているバケツ機能付きスコップに関する。
【背景技術】
【０００２】
集中豪雨や津波による浸水等、近年水害により被害を受ける地域は少なくない。被災者は精神的な苦痛だけでなく、床下の泥水や溜まった土を掻きだす等の水害後の対応に、大変な労力を要する場合がある。
かかる場合、泥水や土砂などを、一旦スコップですくい上げてから、バケツに投入して、ある程度バケツに溜ったところで、外部に捨てるという作業を繰り返すのが通常である。
しかし、スコップのさじ部は略平板状であるため、一度に多量の土砂を掬うことが困難であり効率がよくない。特に、泥水など大量の水分を含んでいる場合は、さじ部で掬おうとしても、流出しやすいため、更に効率が悪い。
ここで、バケット型手動運搬具が提案されている（例えば、特許文献１参照。）。このバケット型手動運搬具は、一台でスノーダンプとスコップの２つの機能を有している。すなわち、このバケット型手動運搬具によると、そのバケット部に雪や土砂などを入れて運搬できると共に、所定部位に足を掛けて踏み込むことにより、スコップとしての機能も有している。
【先行技術文献】
【特許文献】
【０００３】
【特許文献１】特開２０１２−２０２５号公報
【発明の概要】
【発明が解決しようとする課題】
【０００４】
しかし、特許文献１に記載のバケット型手動運搬具は、バケット部が、土砂を運搬可能に形成されているが（特許文献１の図１〜図７）、上部及び前方は開放されており、側方や前方に傾くと、依然として土砂が流出しやすくなる。
特に、水分を多く含んだ汚泥等を運搬しようとすると、更に流出しやすいものとなる。
【０００５】
本発明は、前記の問題を解決するものであり、土砂の掘削・運搬に適し、バケツとスコップの両方の機能を兼ね備えているバケツ機能付きスコップを提供することを目的とする。
【課題を解決するための手段】
【０００６】
本発明は以下の通りである。
１．バケット部と、該バケット部に連結された一対のハンドル部とからなる、バケツ機能付きスコップであって、
前記バケット部は、先端側が開口し、後端側が閉塞した筒状の容器体であり、天板と該天板に対向した底板と、左右一対の側板と、開口側と対向する後端板とからなり、
前記ハンドル部は、前記バケット部の先端側に設けた先端側ハンドル部と、該バケット部の後端側に設けた後端側ハンドル部とからなり、
前記先端側ハンドル部は、前記左右一対の側板に取り付けられた支持部材と、該支持部材間に架設固着された把手部とからなり、
前記後端側ハンドル部は、前記左右一対の側板の後端側を上部に延在して形成された一対の支持部と、該支持部間に架設固着されている把手部とからなるバケツ機能付きスコップ。
２．前記先端側ハンドル部は、前記支持部材の下部に設けた支持軸を中心に回動可能に形成されている１．に記載のバケツ機能付きスコップ。
３．バケット部と、該バケット部に連結された一対のハンドル部とからなる、バケツ機能付きスコップであって、
前記バケット部は、先端側が開口し、後端側が閉塞した筒状の容器体であり、天板と該天板に対向した底板と、左右一対の側板と、開口側と対向する後端板とからなり、
前記ハンドル部は、前記バケット部の先端側に設けた先端側ハンドル部と、該バケット部の後端側に設けた後端側ハンドル部とからなり、
前記先端側ハンドル部は、前記左右一対の側板の先端側を上部に延在させて形成された一対の支持部と、該支持部間に架設固着されている把手部とからなり、
前記後端側ハンドル部は、前記左右一対の側板の後端側を上部に延在させて形成された一対の支持部と、該支持部間に架設固着されている把手部とからなるバケツ機能付きスコップ。
４．前記底板は前記天板より先端側に突出して形成されている１．乃至３．のうちのいずれか1項に記載のバケツ機能付きスコップ。
５．前記後端板は、内側に凹状、外側に凸状となるように湾曲して形成されている１．乃至４．のうちのいずれか１項に記載のバケツ機能付きスコップ。
６．前記底板の先端に延出形成された突出部を更に備えた１．乃至５．のうちのいずれか１項に記載のバケツ機能付きスコップ。
７．前記バケット部の後端側を下にした場合に、前記支持部及び／又は前記後端板が接地することにより、前記バケット部を起立可能とした請求項１乃至６．のうちのいずれか１項に記載のバケツ機能付きスコップ。
【発明の効果】
【０００７】
１．本発明のバケツ機能付きスコップは、バケット部と、バケット部に連結された一対のハンドル部とからなり、バケット部は、先端側が開口し、後端側が閉塞した筒状の容器体であり、ハンドル部は、バケット部の先端側に設けた先端側ハンドル部と、バケット部の後端側に設けた後端側ハンドル部とからなるため、土砂の掘削・運搬に適し、バケツとスコップの両方の機能を兼ね備えている。また、バケット部が、天板と天板に対向した底板と、左右一対の側板と、開口側と対向する後端板とからなるため、スコップ機能で土砂等を削り集めるのに適している。
そして、先端側ハンドル部が、左右一対の側板に取り付けられた支持部材と、支持部材間に架設固着された把手部とからなり、後端側ハンドル部が、左右の一対の側板の後端側を上部に延在して形成された一対の支持部と、支持部間に架設固着されている把手部とからなるため、それぞれの把手部を持って、底部を接地面にスライドさせることにより、効率よく土砂等を掬い集めることができる。更に、２本の把手部を操作することで、土砂等の掬い上げ量と放出量を加減しやすい。
２．先端側ハンドル部が、支持部材の下部に設けた支持軸を中心に回動可能に形成されている場合には、バケット部を起こして運搬するのが容易となる。底板は天板より先端側に突出して形成されている場合には、スコップ機能で土砂等を削り集めるのに適している。
３．本他の発明のバケツ機能付きスコップは、バケット部と、バケット部に連結された一対のハンドル部とからなり、バケット部は、先端側が開口し、後端側が閉塞した筒状の容器体であり、ハンドル部は、バケット部の先端側に設けた先端側ハンドル部と、バケット部の後端側に設けた後端側ハンドル部とからなるため、土砂の掘削・運搬に適し、バケツとスコップの両方の機能を兼ね備えている。また、バケット部が、天板と天板に対向した底板と、左右一対の側板と、開口側と対向する後端板とからなるため、スコップ機能で土砂等を削り集めるのに適している。
そして、先端側ハンドル部が、左右の側板の先端側を上部に延在させて形成された一対の支持部と、支持部間に架設固着されている把手部とからなり、後端側ハンドル部が、左右の側板の後端側を上部に延在させて形成された一対の支持部と、支持部間に架設固着されている把手部とからなる場合には、簡易な構造で、土砂等の掘削・運搬をすることができる。
４．底板が天板より先端側に突出して形成されている場合には、スコップ機能で土砂等を削り集めるのに適している。
５．後端板が、内側に凹状となるように湾曲して形成されていることでバケット部内部の土砂等を放出しやすく、また清掃もしやすいものとなる。又、後端板が外側に凸状となるように湾曲して形成されていることで、土砂等を掬い集めた後、容易に起立させることができる。
６．底板の先端に延出形成された突出部を更に備えている場合には、堀削作業を更に容易にすることができる。
７．バケット部の後端側を下にした場合に、前記支持部及び／又は前記後端板が接地することにより、前記バケット部を起立可能とすることができれば、バケット部に大量の土砂等を溜め込んだ状態で載置しておくことが出来る。
【図面の簡単な説明】
【０００８】
【図１】本発明の実施形態に係るバケツ機能付きスコップの斜視図である。
【図２】本発明の実施形態に係るバケツ機能付きスコップの起立した状態を示す斜視図である。
【図３】図２のＡ−Ａ断面図である。
【図４】（ａ）本発明の実施形態に係るバケット部底板の先端に延出形成された板状の突出部の例を示す部分斜視図である。（ｂ）本発明の実施形態に係るバケット部底板の先端に延出形成された鋸歯状の突出部の例を示す部分斜視図である。（ｃ）本発明の実施形態に係るバケット部底板と側板との交差部が丸みを帯びている例を示す部分斜視図である。
【図５】本発明の実施形態に係るバケツ機能付きスコップにより土砂を掬い集めている状態を示す説明図である。
【図６】図５により掬い集めた土砂を土のう袋に投入している状態を示す説明図である。
【図７】本発明の他の実施形態に係るバケツ機能付きスコップの斜視図である。
【図８】図７のＢ−Ｂ断面図である。
【発明を実施するための形態】
【０００９】
以下、図１〜８を参照しながら本発明を詳しく説明する。尚、本発明は、かかる図に記載された具体例に示すものに限られず、目的、用途に応じて種々変更したものとすることができる。
［実施形態１］
実施形態１に係るバケツ機能付きスコップ１は本発明を具体化している。
バケツ機能付きスコップ１は、図１に示すように、バケット部２０と、バケット部２０に連結された一対のハンドル部１０とからなる。バケット部２０は、先端側が開口し、後端側が閉塞した筒状の容器体であり、ハンドル部１０は、バケット部２０の先端側に設けた先端側ハンドル部１１と、バケット部２０の後端側に設けた後端側ハンドル部１２とからなる。
【００１０】
前記「バケット部２０」は、先端側が開口し、後端側が閉塞した有底筒状の容器体である。貯溜、運搬のためのバケツとしての機能だけでなく、後述のハンドル部１０を取り付けることで、スコップとしての機能も有する。
バケット部の形状は前記の容器体を形成していれば特に限定はなく、角筒状のほか、円筒状であってもよい。又、底部を平板状とした半円筒状であってもよい。
図１に示すバケット部２０のように、天板２１と天板２１に対向した底板２２と、左右一対の側板２５、２５と、開口側と対向する後端板２３（図３参照。）とからなることができる。
底板２２は天板２１より先端側に突出して形成されていることが好ましい。こうすることで、より作業性に優れることができる。
バケット部２０の材質は、特に限定はなく、鉄、アルミ、チタンなどの金属製の他、合成樹脂製であってもよい。又は、これらの組合わせであってもよく、全体を合成樹脂で作製し、底部２２の先端に金属製の補強部材を取り付けてもよい。
【００１１】
後端板２３は、後端側を閉塞することができれば特に形状は限定はなく、平板状であってもよいが、図３に示すように、内側に凹状、外側に凸状となるように湾曲して形成されていることが好ましい。
後端板が、内側に凹状となるように湾曲して形成されていることで後端部の隅に土砂等が堆積しづらいため、バケット部内部の土砂等を放出しやすく、また清掃も容易となる。
又、後端板２３が外側に凸状となるように湾曲して形成されていることで、土砂等を掬い集めた後、先端側把手部１１ａを持ち上げて起立させる際に、接地面との接触部が、底板２２の外面から後端板２３の外面へと滑らかに移動するため、容易に起立させることができる。作製にあたっては、例えば金属性の平板状の板材を図３に示すように湾曲させることにより、天板２１、底板２２、後端板２３を同時に形成することができる。
【００１２】
図４（ａ）に示すように、底板２２の先端に延出形成された突出部２２ａを更に備えることもできる。こうすることで、先端部に力を入れやすく堀削作業をより強力に行うことができる。
更に図４（ｂ）に示す突出部２２ｂのように、先端を尖らせた鋸歯状に形成して、更に堀削困難な硬い土砂に対して効果的に堀削をすることもできる。
又、図４（ｃ）に示すように、側板２５と底板２２との交差部の外面をＲ形状とすることにより、例えば、Ｕ字溝の内面に沿った形状とすれば、Ｕ字溝内面の隅に堆積した土砂等を効率よく掬い集めることができる。
【００１３】
前記「ハンドル部１０」は、図１に示すように、バケット部２０に連結され、バケット部２０の先端側に設けた先端側ハンドル部１１と、バケット部２０の後端側に設けた後端側ハンドル部１２とからなる。
ハンドル部は、バケット部の先端側と後端側の２箇所に設けられており、バケット部を把持する機能を有すれば、形状、取り付け箇所には特に限定はない。
例えば、図１に示すように、先端側ハンドル部１１は、左右一対の側板２５、２５に取り付けられた支持部材１１ｂ、１１ｂと、支持部材１１ｂ、１１ｂ間に架設固着された把手部１１ａとからなる。
支持部材１１ｂと把手部１１ａは、別体として作製して溶接等により接合することもできる他、一体に形成されていてもよい。材質も特に限定はなく、金属製、木製、合成樹脂製とすることもできる。また、支持部材１１ｂを金属製として、把手部１１ａを木製又は合成樹脂製とすることもできる。
【００１４】
そして、図１に示す先端側ハンドル部１１のように、支持部材１１ｂの下部に設けた支持軸１１ｃを中心に回動可能に形成されていることが好ましい。こうすることで、把手部１１ａを持ち上げることで、バケット部２０を起こし、そのまま運搬をすることができる。
なお、先端側ハンドル部１１は、図示した形状の他、１１ｂと把手部１１ａを一体に形成し、凸状に湾曲したアーチ型の形状としてもよい。
後端側ハンドル部１２は、図１に示すように、左右の側板２５、２５の後端側を上部に延在して形成された一対の支持部２５ａ、２５ａと、支持部２５ａ、２５ａ間に架設固着されている把手部１２ａとからなることができる。
把手部１２ａの材質、形状については、把手部１１ａと同様であるため、その説明を省略する。
【００１５】
図２に示すように、バケット部２０の後端側を下にした場合に、ハンドル部及び／又は後端板が接地することにより、バケット部２０が起立可能となることが好ましい。
すなわち、図３に示すように、例えば、後端板２３の後端及びハンドル部のうちの支持部２５ａの後端面２５ｓと把手部１２ａの下端が略同一平面を形成することで、水平面５０上に載置されると、バケット部２０をより安定して起立させることができる。
この場合、バケット部２０を起立させて載置した場合に、水平面と前記底板とのなす角度θが９０度より小さい場合には特に安定して起立させることができる。
【００１６】
寸法についても特に限定はないが、本実施形態１に係るバケツ機能付きスコップ１の場合、図１において、底板２２の先端から支持部２５の後端までの水平方向の長さが、４００ｍｍ、天板２１の先端から支持部２５の後端までの水平方向の長さが、３４０ｍｍ、側板２５、２５間の幅が２５０ｍｍ、底板２２から天板２１までの高さが２２０ｍｍ、支持部材１１ｂの長さが２５０ｍｍ、天板２１から把手部１２ａの先端までの長さが１４０ｍｍとして作製した。
このように、掬い部である底板２２から把手部１１ａ、１２ａまでの長さが、通常のスコップよりも短く設定してある。こうすることで、作業位置が体に近く、効率よく掘削・運搬作業をすることができる。
【００１７】
（使用方法）
バケツ機能付きスコップ１の使用例を以下に説明する。図５に示すように、例えば、先端側ハンドル部１１を左手ＬＨで持ち、後端側ハンドル部１２を右手ＲＨで持ち、土砂Ｓに対して底板２２をスライドさせて堀り集める。掘り集めた土砂Ｓは、例えば、図６に示すように、土のう袋スタンド９０にセットした土のう袋８０に投入することができる。
このように、バケツとスコップの両方の機能を兼ね備えているため、一度に掬う量を多くすることができ、作業効率が高い。
この他、水害で家屋の床下に溜った泥水、土砂に対しても、同様に、ハンドル部を持ちスライドさせることにより効率よく掬い集めることができる。更に、先端側ハンドル部１１を持ち上げることにより、支持部材１１ｂが回動して、バケット部２０が起立するため、バケツとして運搬することができる。
更に、土木工事・農業園芸の作業においても、２本のハンドル操作により、砂・肥料・飼料などの掬い上げ量と放出量を調整しやすいため、貯溜、運搬作業を効率的に行うことができる。
【００１８】
［実施形態２］
実施形態２に係るバケツ機能付きスコップ２も本発明を具体化している。
バケツ機能付きスコップ２は、図７に示すように、バケット部４０と、バケット部４０に連結された一対のハンドル部３０とからなる。バケット部４０は、先端側が開口し、後端側が閉塞した筒状の容器体であり、ハンドル部３０は、バケット部４０の先端側に設けた先端側ハンドル部３１と、バケット部４０の後端側に設けた後端側ハンドル部３２とからなる。
【００１９】
バケット部４０は、天板４１と天板４１に対向した底板４２と、左右一対の側板４５、４５と、開口側と対向する平板状の後端板４３（図８参照。）とからなり、底板４２は天板４１より先端側に突出して形成されている。
先端側ハンドル部３１は、図７に示すように、左右の側板４５、４５の先端側を上部に延在して形成された一対の支持部４５ｂ、４５ｂと、支持部４５ｂ、４５ｂ間に架設固着されている把手部３１ａとからなる。
後端側ハンドル部３２は、図７に示すように、左右の側板４５、４５の後端側を上部に延在して形成された一対の支持部４５ａ、４５ａと、支持部４５ａ、４５ａ間に架設固着されている把手部３２ａとからなる。
【００２０】
図８に示すように、バケット部４０の後端側の後端板４３が平板状に形成されているため、後端側を下にした場合に、後端板４３が接地することにより、バケット部４０が起立可能となる。
また、実施形態１に係るバケツ機能付きスコップ１と同様、底板４２の先端に延出形成された突出部を更に備えることもでき、更に、突出部の先端を尖らせた鋸歯状に形成することもできる。また、側板４５と底板４２との交差部の外面をＲ形状とすることもできる。これらの作用効果については、バケツ機能付きスコップ１と同様であるため、その説明を省略する。
【００２１】
寸法については、特に限定はないが、本実施形態２に係るバケツ機能付きスコップ２の場合、図７において、底板２２の先端から後端までの長さが、４００ｍｍ、天板４１の先端から後端までの水平方向の長さが、２７５ｍｍ、側板４５、４５間の幅が２１０ｍｍ、底板４２から天板までの高さが１７５ｍｍ、天板４１から把手部３１ａ、３２ａの先端までの長さが１７５ｍｍとして作製した。このように、バケツ機能付きスコップ２も、掬い部である底板４２から把手部３１ａ、３２ａまでの長さが、通常のスコップよりも短く設定してあるため、効率よく掘削・運搬作業をすることができる。
【００２２】
その他、バケツ機能付きスコップ２は、後端板４３が平板状に形成されている点、先端側ハンドル部３１が後端側ハンドル部３２と同様に形成されている点を除けば、実施形態１に係るバケツ機能付きスコップ１とその構成、作用効果、使用方法については、同様であるためその説明を省略する。
【符号の説明】
【００２３】
１、２；バケツ機能付きスコップ、１０、３０；ハンドル部、１１、３１；先端側ハンドル部、１１ａ、１２ａ、３１ａ、３２ａ；把手部、１１ｂ；支持部材、１１ｃ；支持軸、１２、３２；後端側ハンドル部、２０、４０；バケット部、２１、４１；天板、２２、４２；底板、２２ａ、２２ｂ；突出部、２３、４３；後端板、２５、４５；側板、２５ａ、４５ａ、４５ｂ；支持部
【図１】
0005633036.tif 000002
【図２】
0005633036.tif 000003
【図３】
0005633036.tif 000004
【図４】
0005633036.tif 000005
【図５】
0005633036.tif 000006
【図６】
0005633036.tif 000007
【図７】
0005633036.tif 000008
【図８】
0005633036.tif 000009